(57)【要約】【課題】うがい鉢の上縁周部を被うキャップ部を有するキャップ部材を設け、該キャップ部材のキャップ部により、患者がうがい鉢に吐き出したうがい水がうがい鉢から外部へ飛散しないようにする。【解決手段】１０はスピットン本体４に回動自在に装着されたうがい装置である。このうがい装置１０は、うがい鉢１１と、該うがい鉢１１の上縁周部に着脱自在に被せることのできるキャップ部材１２と、うがい鉢１１を回動自在に支える支持部材１３とから成る。キャップ部材１２はうがい鉢１１の上縁周部を覆うキャップ部１２ａを有し、該キャップ部１２ａは、うがい鉢１１の内側に張り出し部１２ａ’を有し、この張り出し部１２ａ’で、うがい鉢１１に吐き出されたうがい水がうがい鉢１１の外部へ飛散するのを防止する。【選択図】図１
2008142472.tif 000002
【特許請求の範囲】
【請求項１】
スピットン本体に回動自在に装着されたうがい装置であって、該うがい装置は、うがい鉢と該うがい鉢の上縁周部に着脱自在に被せることのできるキャップ部材と、前記うがい鉢を支えかつ該うがい鉢に吐き出されたうがい水を排水する配水管を有する支持部材とから成り、前記キャップ部材は、前記うがい鉢の上縁周部全体に亘って着脱自在に装着されるキャップ部と該キャップ部から延長するアーム部とから成り、該アーム部は、周辺部が前記キャップ部の上面と略同一高さの堤みに形成され、該堤みの内側は平面の溝部に形成され、該溝部の平面に連通する前記キャップの上面は該溝部の平面と同一面に形成されていることを特徴とする歯科用うがい装置。
【請求項２】
前記アーム部の先端側は前記スピットン本体に着脱自在にかつ回動自在に取り付けられていることを特徴とする請求項１に記載の歯科用うがい装置。
【請求項３】
前記キャップ部は、前記うがい鉢の上縁周部に装着した時に、前記うがい鉢の内側に突出する張り出し部を有することを特徴とする請求項１又は２に記載の歯科用うがい装置。
【発明の詳細な説明】
【技術分野】
【０００１】
本発明は、歯科用うがい装置、より詳細には、患者がうがい鉢にうがい水を吐き出した時に飛散するうがい水が、該うがい鉢の内壁面を伝って上昇して外部へ飛散するのを防止するための飛散防止用のキャップ（鍔部）をうがい鉢の上部周縁に着脱自在に装着可能にした歯科用うがい装置に関する。
【背景技術】
【０００２】
図２は、本発明が適用されるうがい鉢及びスピットン装置を備えた歯科治療ユニットの一例を説明するための概略構成図で、歯科治療ユニットは、治療椅子１，ワークテーブル２，給水管３１，うがい鉢３２等を含むうがい装置３，スピットン本体４，インスツルメントホルダ５，フットスイッチ６，アシスタントインスツルメントホルダ７等から成り、インスツルメントホルダ５には、歯科治療において使用する種々のインスツルメント８が収納されており、周知のように、歯科治療に当り、患者は治療椅子１に座り、頭を安頭台９に固定して治療を受ける。治療中、術者は治療椅子１を上下動，倒起動，傾斜動等させて、患者を治療しやすい姿勢にして治療を行う。
【０００３】
図３は、本発明が適用されるうがい装置の一例を示す斜視図で、該うがい装置３は、うがい水を噴出するためのうがい水給水管３1，患者がうがいした後のうがい水を吐出するためのうがい鉢３2，うがい水給水時にうがい用のコップを置くコップ置き部３3，コップから漏れ出した水をうがい鉢３2に流す溝（流路）３4等から成り、通常は、図２に示したように、スピットン本体４の上部に図示のように取り付けられており、うがい時、矢印Ａ方向に回動され、換言すれば、患者の前にうがい鉢３2が来るようにして、患者がうがいしやすい位置にするようにしている。
【発明の開示】
【発明が解決しようとする課題】
【０００４】
上述のように、歯科治療においては、うがい時、うがい鉢を患者の前に移動して、患者がうがいし易いようにしているが、患者がうがい水をうがい鉢に吐き出した時に、吐き出したうがい水がうがい鉢の内壁面に沿って上昇し、該うがい鉢の上縁部から飛散し、飛散したうがい水が患者の衣服にかかる等して不衛生であった。
【０００５】
本発明は、上述のごとき実情に鑑みてなされたもので、うがい鉢の上縁周部に着脱自在に装着されるキャップ部を有するキャップ部材を具備し、該キャップ部をうがい鉢の上縁周部に装着することにより、患者が吐き出したうがい水が該キャップ部によりうがい鉢の上縁周部から飛散するのを阻止し、もって、より衛生的にうがいができるようにすることを目的としてなされたものである。
【課題を解決するための手段】
【０００６】
請求項１の発明は、スピットン本体に回動自在に装着されたうがい装置であって、該うがい装置は、うがい鉢と該うがい鉢の上縁周部に着脱自在に被せることのできるキャップ部材と、前記うがい鉢を支えかつ該うがい鉢に吐き出されたうがい水を排水する配水管を有する支持部材とから成り、前記キャップ部材は、前記うがい鉢の上縁周部全体に亘って着脱自在に装着されるキャップ部と該キャップ部から延長するアーム部とから成り、該アーム部は、周辺部が前記キャップ部の上面と略同一高さの堤みに形成され、該堤みの内側は平面の溝部に形成され、該溝部の平面に連通する前記キャップの上面は該溝部の平面と同一面に形成されていることを特徴としたものである。
【０００７】
請求項２の発明は、請求項１の発明において、前記アーム部の先端側は前記スピットン本体に着脱自在にかつ回動自在に取り付けられていることを特徴としたものである。
【０００８】
請求項３の発明は、請求項１又は２の発明において、前記キャップ部は、前記うがい鉢の上縁周部に装着した時に、前記うがい鉢の内側に突出する張り出し部を有することを特徴としたものである。
【発明の効果】
【０００９】
本発明によると、うがい鉢の上縁周部に着脱自在に装着されるキャップ部を有するキャップ部材を設け、該キャップ部材により、患者が吐き出したうがい水が、うがい鉢の上縁周部から外部に飛散しないようにしたので、より衛生的にうがいをすることができる。
【発明を実施するための最良の形態】
【００１０】
図１は、本発明によるうがい装置の一実施例を説明するための図で、図１（Ａ）は要部斜視図、図１（Ｂ）はうがい装置部の断面図で、図中、１０は本発明によるうがい装置で、該うがい装置１０は、うがい鉢１１、該うがい装置１１の上縁をキャップしかつ保持するキャップ部材１２、該うがい鉢１１を搭載しかつ回動支持する支持部材１３からなり、うがい鉢１１はスピットン本体４に矢印Ａ方向に回動自在に取り付けられている。うがい鉢１１は、該うがい鉢１１を支えかつ該うがい鉢に吐き出されたうがい水を排水する配水管を有する支持部材１３上に配設され、該支持部材１３と一体的に回動する。うがい鉢１１は、うがい時、図２に示した従来のうがい鉢と同様に、患者の前に移動され、患者がうがいし易い位置にされるようになっている。しかし、うがい鉢１１の上縁周部１１’は、図１（Ｂ）に示すように、滑らかに（内壁面の曲面と同一の曲面に）形成されており（加工時、この上縁周部１１’にうがい鉢内に突出するようなカラー部（鍔部）を一体的に設けることは困難である）、患者が吐き出したうがい水が、うがい鉢１１の内壁面に沿って（矢印Ｂにて示すように）上昇し、この滑らかな上縁周部１１’を通り越して、外部に飛散してしまうことがあり、不衛生であった。
【００１１】
本発明は、このうがい鉢１１の上縁周部に着脱自在に装着可能なキャップ部１２ａ（鍔部）を有するキャップ部材１２を具備し、このキャップ部材１２のキャップ部１２ａを、図１（Ｂ）に示したように、うがい鉢１１の上縁周部に被せることにより、患者がうがい鉢１１に吐き出したうがい水が、うがい鉢１１の内壁面に沿って上方に飛散したとしても、このキャップ部材１２のキャップ部１２ａで阻止され、外部に飛散するようなことはなく、より衛生的にうがいを行うことができるようにしたものである。
【００１２】
キャップ部材１２は、うがい鉢１１の上縁周部を覆うキャップ部１２ａと、該キャップ部１２ａから延長するアーム部１２ｂとからなり、キャップ部１２ａには該キャップ部１２ａをうがい鉢１１に被せた時に、該うがい鉢１１の内方へ突出する張り出し部１２ａ’が設けられており、アーム部１２ｂの周辺部には突起（漏水防止用の堤）１２ｂ’が設けられている。
【００１３】
このアーム部１２ｂ上の突起（堤）１２ｂ’の上面は、キャップ部１２ａの上面と略同じ高さに形成されており、キャップ部材１２のキャップ１２ａをうがい鉢１１の上縁周部に被せることができるようになっている。うがい水供給時、うがい水がうがいコップから溢れ出したような場合、溢れ出た水がこの突起（堤）１２ｂ’によってアーム部１２ｂの側部から流れ落ちることなく（突起１２ｂ’によって形成される溝部１２ｂ”内を流れ）、うがい鉢１１内に案内され（この溝部１２ｂ”に連通するキャップ部１２ａの部分１２ａ”の上面高さは溝部１２ｂ”の平面と同一高さ又はそれ以下になっている）、スピットン本体４の上を濡らすようなことはなく、衛生的である。
【００１４】
アーム部１２ｂの先端側下部１２’は、スピットン本体４の天板４ａに設けられた凹部４ａ’に着脱自在にかつ回転可能に装着され、スピットン本体４の上部に回動自在に取り付けられており、うがい鉢支持アーム１３が回動された時に、該支持アーム１３の回動に追従して回動し、うがい時、うがい鉢１１を患者がうがいし易い位置に移動するようになっている。
【００１５】
なお、１５はうがい鉢１１の上縁周部に被着される弾性体からなるパッキンで、該パッキン１５をうがい鉢１１とキャップ部材１２のキャップ部１２ａとの間に設けることにより、うがい鉢やキャップ部材を損傷するような恐れはなくなる。
【００１６】
上述のように、本発明によると、歯科治療時、患者が吐き出したうがい水が、うがい鉢の上縁を乗り越えて、うがい鉢の外部へ飛散することがないので、より衛生的に歯科治療を行うことができる。
【図面の簡単な説明】
【００１７】
【図１】本発明によるうがい装置の一実施例を説明するための図である。
【図２】本発明が適用されるうがい鉢及びスピットン本体を備えた歯科治療ユニットの一例を説明するための概略構成図である。
【図３】本発明が適用されるうがい装置の一例を示す斜視図。
【符号の説明】
【００１８】
１…治療椅子、２…ワークテーブル、３…従来のうがい装置、４…スピットン本体、５…インスツルメントホルダ、６…フットスイッチ、７…アシスタントインスツルメントホルダ、８…インスツルメント、９…安頭台、１０…うがい鉢装置、１１…うがい鉢、１２…キャップ部材、１２ａ…キャップ部、１２ｂ…アーム部、１３…うがい鉢支持板、１５…パッキン。
【図１】
2008142472.tif 000003
【図２】
2008142472.tif 000004
【図３】
2008142472.tif 000005